(57)【特許請求の範囲】
【請求項１】
光学デバイスを搭載する下ケースと、前記光学デバイスを収容する収容部を具備してなる中ケースと、前記光学デバイスを被覆する蓋とからなり、前記下ケースと前記中ケースとは着脱自在に一体形成されてなり、当該一体形成された下ケースと中ケースに前記光学デバイスを収容し、前記蓋を被せて、前記光学デバイスを収容してなる光学デバイス用梱包ケースであって、
前記下ケースは、板状に形成されており、外周端部に中ケースと係止する係止部と、上面に両面固着テープが貼り付けられ、光学デバイスの一側面を接着する上面搭載部を有しており、当該上面搭載部で、前記中ケースの収容部に対応する位置には、前記両面固着テープを貼り付けるための目印が形成されており、
前記中ケースは、板面部と周壁部とからなり、前記板面部は下ケースの上面搭載部に対応した位置に、前記光学デバイスを配列するとともに当該光学デバイスを横方向全体に位置規制する収容部が形成され、前記周壁部は板面部を所定の高さに配置するとともに前記下ケースと蓋とを係止する係止部を有しており、
前記蓋は、前記光学デバイスを被覆する板面部と外周端部に中ケースと係止する係止部とを具備してなることを特徴とする光学デバイス用梱包ケース。
【請求項２】
前記中ケースの板面部、下ケースの上面搭載部近傍、または蓋の板面部のうち少なくとも１つには、補強部が設けられてなることを特徴とする特許請求項１項記載の光学デバイス用梱包ケース。
【請求項３】
前記下ケースの他と厚みの異なる補強部を両面固着テープの目印としたことを特徴とする特許請求項２項記載の光学デバイス用梱包ケース。
【請求項４】
前記下ケースと前記中ケースを一体化してなる収容体の上面には、連結用下ケースと前記中ケースと同様に構成された別の中ケースを一体化してなる上部収容体が１つ以上取り付けられ、最上面に蓋体を取り付けてなる光学デバイス用梱包ケースであって、
前記連結用下ケースは、板状に形成されており、外周端部上面に前記別の中ケースの下部で取り付けられる第１の係止部と、外周端部下面に前記中ケースの上部で取り付けられる第２の係止部と、上面に両面固着テープが貼り付けられ、光学デバイスを接着する上面搭載部を有してなることを特徴とする特許請求項１〜３いずれか１項記載の光学デバイス用梱包ケース。
【請求項５】
光学デバイスを搭載する下ケースと、前記光学デバイスを収容する収容部を具備してなる中ケースと、前記光学デバイスを被覆する蓋とからなり、前記下ケースと前記中ケースとは着脱自在に一体形成されてなり、当該一体形成された下ケースと中ケースに前記光学デバイスを収容し、前記蓋を被せて、前記光学デバイスを収容してなる光学デバイス用梱包ケースであって、
前記下ケースは、板面部と周壁部とからなり、前記板面部は光学デバイスを搭載する領域に、中ケースを係止する凹部、または凸部のうち少なくとも１つが形成されており、前記周壁部は板面部を所定の高さに配置するとともに前記蓋を係止する係止部を有しており、
前記中ケースは、可撓性の材料からなり、前記下ケースの凹部、または凸部に対応して嵌め合うことで係止される係止部を有した本体部と、前記光学デバイスの側端綾部の少なくとも一部を圧入することで挟持し、収容してなる収容部とを有しており、
前記蓋は、前記光学デバイスを被覆する板面部と外周端部に下ケースと係止する係止部とを具備してなることを特徴とする光学デバイス用梱包ケース。
【請求項６】
収容部の大きさが異なる中ケースを数種類に分けて形成し、光学デバイスの外径仕様に応じて、前記中ケースを取り替え、前記下ケースと一体形成したことを特徴とする特許請求項１〜５いずれか１項記載の光学デバイス用梱包ケース。
【請求項７】
前記下ケースの搭載部分、あるいは前記蓋の被覆部分、もしくは前記下ケースの搭載部分と前記蓋の被覆部分の両方に、スペーサを設け、前記光学デバイスが下ケースの搭載部分と蓋の被覆部分で挟持された状態で収容されてなることを特徴とする特許請求項１〜６いずれか１項記載の光学デバイス用梱包ケース。
【発明の詳細な説明】
【０００１】
【発明の属する技術分野】
本発明は、光学ローパスフィルタ、波長板、複屈折板等の光学デバイスを収容する梱包ケースに関するものである。
【０００２】
【従来の技術】
光学ローパスフィルタ等の光学デバイスは、ビデオカメラや電子スチルカメラ等に用いられている。これら光学デバイスは、特にその光学的情報を含む光線の入射面（主面）には、ゴミ、ホコリ等が付着しないように配慮することが求められており、製造並びに梱包はクリーンルーム内で行われる。
【０００３】
従来の光学デバイスの梱包ケースについて図１２、図１３とともに説明する。
図１２は従来の梱包ケースを示す平面図であり、図１３は図１２において閉蓋時のＥ−Ｅ断面図である。下ケース１はポリエチレンテレフタレートからなり、光学デバイス４が各々収容できる収容凹部１１が複数形成されている。これら収容凹部１１に光学デバイス４を収容する。光学デバイス４は例えば光学ローパスフィルタなどであり、複屈折板、波長板等の複数の光学板を貼り合わせた構成で、かつ光線入射面４１，４２には誘電体多層膜が形成されている。これら光学デバイスを上ケース５で被覆し、ホコリ等の侵入を防いでいる。
【０００４】
そして、光学ローパスフィルタ４としては、個々にそのエッジ部が面取り加工されているものと、コストダウンの要求、および光線入射面（主面）の有効エリア拡大の要求から、面取り加工が施されていないものがある。前者は比較的大型で高精度用（空間周波数のカット特性に優れたもの）の光学デバイスに多く使用され、後者は比較的小型で汎用光学デバイスに多く使用されているのが現状である。なお、光学デバイスのうち面取り加工されないものは、光学デバイスのエッジ部は面鋭利な状態であり、上述のケースに収容した場合、輸送時等において光学デバイスが遊動することによりケース内を切削し、ゴミ等が発生する原因となっていた。このゴミの光学デバイス主面への付着は所望の光学特性に対するノイズとなり、画像悪化の原因となるため、ユーザー側でゴミの除去する必要があった。
【０００５】
そこで、上記面取り加工されない光学デバイス用の梱包ケースでは、上記ゴミの問題点を考慮したケースが提案されている（特開平９−３０５９３号を参照）。特開平９−３０５９３号では、梱包ケースの光学デバイス搭載面に両面接着シートを貼り付け、光学デバイスの底面を固定して、前記光学デバイスの遊動を防止できるように構成されている。しかしながら、ケースの光学デバイス搭載面への両面接着シート取り付けあるいは取り外しが容易でなく、このためケースを再利用する作業が非常に面倒であるといった問題点を有していた。
【０００６】
【発明が解決しようとする課題】
近年、リサイクルなどの問題が重要視されるなか、上記従来の光学デバイス用梱包用ケースでは、梱包ケースを構成するパーツは下ケースと上ケースの２点のみであり、各構成パーツの形状も特殊なものとなってコスト高となる点、接着シートの取り付け作業も非常に面倒となる点等から、梱包ケースの保守メンテナンス、再利用が行いにくいといった問題点がある。また、特定のサイズの光学デバイスに対し、このサイズのみに対応した梱包ケースを供給せざるを得ず、極めて汎用性の低い梱包ケースとなる問題点もあげられる。さらに、面取り加工のされない光学デバイスについては、ゴミを発生しない梱包ケースの構成が必要不可欠となっている点があげられる。
【０００７】
本発明は上記問題点を解決するためになされたもので、保守メンテナンスと再利用が容易でより汎用性の高い光学デバイス用梱包ケースを提供することを目的とするものである。
【０００８】
【課題を解決するための手段】
本発明に示す光学デバイス用梱包ケースは、請求項１に示すように、光学デバイスを収容してなる光学デバイス用梱包ケースであって、前記光学デバイスを搭載する下ケースと、前記光学デバイスを収容する収容部を具備してなる中ケースと、前記光学デバイスを被覆する蓋とからなり、前記下ケースと前記中ケースとは着脱自在に一体形成されてなり、当該一体形成された下ケースと中ケースに前記光学デバイスを収容し、前記蓋を被せて、前記光学デバイスを収容してなる光学デバイス用梱包ケースであって、前記下ケースは、板状に形成されており、外周端部に中ケースと係止する係止部と、上面に両面固着テープが貼り付けられ、光学デバイスの一側面を接着する上面搭載部を有しており、当該上面搭載部で、前記中ケースの収容部に対応する位置には、前記両面固着テープを貼り付けるための目印が形成されており、前記中ケースは、板面部と周壁部とからなり、前記板面部は下ケースの上面搭載部に対応した位置に、前記光学デバイスを配列するとともに当該光学デバイスを横方向全体に位置規制する収容部が形成され、前記周壁部は板面部を所定の高さに配置するとともに前記下ケースと蓋とを係止する係止部を有しており、前記蓋は、前記光学デバイスを被覆する板面部と外周端部に中ケースと係止する係止部とを具備してなることを特徴とする。
【０００９】
上記構成により、梱包ケースの構成部品につき、下ケース、上ケース、蓋の３点にすることで、構成部品の数を無駄に増やすことなく、各部品の形状をより簡易化させてコストを低減させる。また、各構成パーツの分解・組立が容易に行えるため、部品の補修、部品の交換ができ、保守メンテナンスと再利用が極めて容易に行える。
【００１０】
また、面取り加工されない光学デバイスのゴミを発生しない梱包ケースとして対応できるとともに、板状の下ケースの上面に両面固着テープを貼り付けるだけで、ケース収容部の底面に粘着剤の形成された領域を作り出すことができ、光学デバイスはその側面が両面固着テープ上に粘着保持される。またケースに対する両面固着テープの貼り付け並びに取り外しは、下ケースと中ケースを分解・一体化するとともに、側面が遮蔽されることのない板状の下ケースの上面から作業効率がよく極めて容易に行うことができる。
【００１１】
さらに、上面に両面固着テープが貼り付けられ、光学デバイスの一側面を接着する上面搭載部を有しており、当該上面搭載部で、前記中ケースの収容部に対応する位置には、前記両面固着テープを貼り付けるための目印が形成されているので、下ケースのうち上面搭載部のみに両面接着シートを取り付ける際の正確な位置決めが行え、作業性が向上する。
【００１２】
また、特許請求項２に示すように、上記構成において、前記中ケースの板面部、下ケースの上面搭載部近傍、または蓋の板面部のうち少なくとも１つには、補強部が設けられてなることを特徴とする。
【００１３】
上述の構成により、上述の作用効果に加えて、前記中ケースの板面部、下ケースの上面搭載部近傍、または蓋の板面部のうち少なくとも１つには、補強部が設けられているので、板面部の曲げ強度が向上し、より耐久性の高いパッケージとできる。
【００１４】
また、特許請求項３に示すように、上記構成において、前記下ケースの他と厚みの異なる補強部を両面固着テープの目印としたことを特徴とする。
【００１５】
上述の構成により、上述の作用効果に加えて、前記下ケースの補強部を両面固着テープの目印としているので、部品構成をより簡素化し、コスト低減も可能となる。
【００１６】
また、特許請求項４に示すように、上記構成において、前記下ケースと前記中ケースを一体化してなる収容体の上面には、連結用下ケースと前記中ケースと同様に構成された別の中ケースを一体化してなる上部収容体が１つ以上取り付けられ、最上面に蓋体を取り付けてなる光学デバイス用梱包ケースであって、前記連結用下ケースは、板状に形成されており、外周端部上面に前記別の中ケースの下部で取り付けられる第１の係止部と、外周端部下面に前記中ケースの上部で取り付けられる第２の係止部と、上面に両面固着テープが貼り付けられ、光学デバイスを接着する上面搭載部を有してなることを特徴とする。
【００１７】
上述の構成により、上述の作用効果に加えて、大容量の光学デバイスをよりコンパクトに収容できる積重構成の複合ケース体が得られ、製品梱包ユニットとしての取り扱いが飛躍的に向上する。
【００１８】
また、特許請求項５に示すように、前記光学デバイスを搭載する下ケースと、前記光学デバイスを収容する収容部を具備してなる中ケースと、前記光学デバイスを被覆する蓋とからなり、前記下ケースと前記中ケースとは着脱自在に一体形成されてなり、当該一体形成された下ケースと中ケースに前記光学デバイスを収容し、前記蓋を被せて、前記光学デバイスを収容してなる光学デバイス用梱包ケースであって、前記下ケースは、板面部と周壁部とからなり、前記板面部は光学デバイスを搭載する領域に、中ケースを係止する凹部、または凸部のうち少なくとも１つが形成されており、前記周壁部は板面部を所定の高さに配置するとともに前記蓋を係止する係止部を有しており、前記中ケースは、可撓性の材料からなり、前記下ケースの凹部、または凸部に対応して嵌め合うことで係止される係止部を有した本体部と、前記光学デバイスの側端綾部の少なくとも一部を圧入することで挟持し、収容してなる収容部とを有しており、前記蓋は、前記光学デバイスを被覆する板面部と外周端部に下ケースと係止する係止部とを具備してなることを特徴とする。
【００１９】
上記構成により、梱包ケースの構成部品につき、下ケース、上ケース、蓋の３点にすることで、構成部品の数を無駄に増やすことなく、各部品の形状をより簡易化させてコストを低減させる。また、各構成パーツの分解・組立が容易に行えるため、部品の補修、部品の交換ができ、保守メンテナンスと再利用が極めて容易に行える。
【００２０】
また、中ケースが可撓性材料で構成されているため、下ケースへの中ケースの取り付けを嵌め合いによる係止、中ケース収容部への光学デバイスの収容も圧入による挟持をすることができ、各係止部、収容部の形状も簡素な構成を採用することができる。また、光学デバイスを弾性のある状態で挟持していることで、より安定した光学デバイスの保持が可能となった。前記収容部に対して若干のサイズの大きめの光学デバイスも収容でき、より汎用性の高いものとなった。さらに、ケース外部の衝撃を緩和して光学デバイス保護する機能を高められる。
【００２１】
また、特許請求項６に示すように、上記構成において、収容部の大きさが異なる中ケースを数種類に分けて形成し、光学デバイスの外径仕様に応じて、前記中ケースを取り替え、前記下ケースと一体形成したことを特徴とする。
【００２２】
上記構成により、上述の作用効果に加えて、下ケースと蓋を共通利用部分として残し、光学デバイスを収容する中ケースのみを交換することで、様々な外径仕様の光学デバイスを収容できる、より汎用性の高いものとなった。
【００２３】
また、特許請求項７に示すように、上記構成において、前記下ケースの搭載部分、あるいは前記蓋の被覆部分、もしくは前記下ケースの搭載部分と前記蓋の被覆部分の両方に、スペーサを設け、前記光学デバイスが下ケースの搭載部分と蓋の被覆部分で挟持された状態で収容されてなることを特徴とする。
【００２４】
上記構成により、上述の作用効果に加えて、搬送時などに光学デバイスが上下に遊動することがなくなり、当該光学デバイスの破損、ケースの破損、ケースのゴミの発生を防止できる。
【００２５】
【発明の実施の形態】
本発明による第１の実施の形態について、光学ローパスフィルタ用梱包ケースを例にとり、図１，図２とともに説明する。図１は本実施の形態を示す分解斜視図であり、図２は図１を組み立てた状態のＡ−Ａ断面図である。
【００２６】
梱包ケースは、下ケース１Ａと、中ケース２Ａと、梱包される光学ローパスフィルタ（光学デバイス）４を被覆する蓋３Ａとからなる。
【００２７】
下ケース１Ａは、例えば、その材料がポリエチレンテレフタレート（ＰＥＴ）からなり、略板状に加工されている。外周端部には中ケースと係止する凹部１１Ａが形成され、上面中央部には他の板面と厚みの異なる段差部１２Ａが形成されているとともに、当該段差部の上に両面固着テープＴが貼り付けられ、光学デバイスを接着する上面搭載部を構成している。前記両面固着テープＴは例えばポリエステルを材料とするベースフィルムの片面（上面）にシリコン系の粘着剤等が形成されている。本実施の形態においては日東電工社製Ｎ３００を用いている。そして、前記段差部１２Ａは、下ケースの補強部をかねるとともに前記両面固着テープを貼着する目印として機能している。
【００２８】
中ケース２Ａは、前記下ケースと同様にその材料がポリエチレンテレフタレート（ＰＥＴ）からなり、板面部２１Ａと周壁部２２Ａとを具備する断面略Ｈ形状に加工されている。板面部には前記下ケースの上面搭載部に対応して、光学デバイスを配列するとともに当該光学デバイスを横方向全体に位置規制する収容部としての貫通孔２１１Ａが形成されている。周壁部には下ケースと蓋とを各々係止する凸部２２１Ａ、２２２Ａが形成されている。また、前記周壁の高さと板面部との連結位置の高さを調整することで、光学デバイスの外径仕様に対応させることができる。
【００２９】
蓋３Ａは、前記下ケース、中ケースと同様にその材料がポリエチレンテレフタレート（ＰＥＴ）からなり、略板状に加工されている。外周端部には中ケースと係止する凹部３２Ａが形成され、中央部には光学デバイスの収容部分を被覆する板面部３１Ａを有している。
【００３０】
光学ローパスフィルタ４は、全体として直方体形状で、複屈折板、波長板等の複数の光学板を貼り合わせてなり、かつ光学的情報を含む光線を入射する主面には誘電体多層膜等のコーティング膜（図示せず）が形成されている。
【００３１】
そして、前記下ケースの凹部１１Ａと中ケースの凸部２２１Ａを係止一体化して組み立てることで、中ケースの各貫通孔２１１Ａと下ケースの上面搭載部による収容領域が形成され、光学デバイス４を前記各収容領域に収容し、光学デバイスの一側面と下ケースの上面搭載部の両面固着テープＴとを粘着接合する。その後、蓋の凹部３２Ａを中ケースの凸部２２２Ａに係止一体化して閉蓋する。
【００３２】
前記下ケース、中ケース、蓋は、シート成形した構成としてもよいし、ポリエチレン等を射出成形した構成としてもよい。
【００３３】
なお、当該ケースを再利用する場合は、下ケース１Ａと中ケ−ス２Ａを分解して、両面固着テープＴを下ケースの段差部１２Ａから剥がした後、下ケースを洗浄して利用する。両面固着テープＴは下ケースの段差部の上部から再び粘着されるので、取り付けが容易であるのと同様に、取り外しも容易である。さらに、段差部を目印として両面固着テープＴを取り付けるため、位置ズレすることなく正確に取り付けることができる。
【００３４】
上記第１の実施形態では、両面固着テープの取り付けるための目印として、下ケースの一部で構成される補強部としての段差部１２Ａを例にしたが、これらの形状に限定されるものではなく、さらに下ケース以外の構成部品を取り付けたり、印刷あるいは着色で目印を形成してもよい。また、上記実施例では、中ケース貫通孔端部に光学デバイスの側面綾部が接触していないものを図示しているが、光学デバイスを配列するとともに光学デバイスの傾き、ズレなどから横方向全体に位置規制する機能があれば、接触構成であっても、非接触構成であってもよい。また、前記両面固着テープＴとして、上面にシリコン系の粘着剤が形成されたものを例にして説明したが、ゲル状の物質が形成されており、このゲル状物質の界面力により光学デバイスを固持する構成のものであってもよい。
【００３５】
また、図３に示すように、上記第１の実施形態において、収容部の大きさが異なる中ケース、つまり前記貫通孔２１１Ａの大きさと前記周壁の高さと板面部との連結位置の高さの異なる中ケースを、例えば、２Ａ−１、２Ａ−２、２Ａ−３の３種類に分けて形成し、光学デバイスの外径仕様に応じて、前記中ケースを取り替え、下ケースに一体的に取り付けてもよい。これにより、下ケースと蓋を共通利用部分として残し、光学デバイスを収容する中ケースのみを交換することで、様々な外径仕様の光学デバイスを収容でき、より汎用性を高めることができる。
【００３６】
また、図４に示すように、上記第１の実施形態において、前記下ケース１Ａと前記中ケース２Ａを一体化してなる収容体の上面には、連結用下ケース６Ａと中ケース２Ａ’を一体化してなる上部収容体が１つ以上取り付けられ、最上面に蓋体３Ａを取り付けてなる積重構成の複合ケース体としてもよい。この場合に使用する連結用下ケース６Ａは、例えば、その材料がポリエチレンテレフタレート（ＰＥＴ）からなり、略板状に加工され、外周端部上面に中ケースの下部で取り付けられる第１の係止部６１Ａと、外周端部下面に中ケースの上部で取り付けられる第２の係止部６２Ａと、上面中央部には他の板面と厚みの異なる段差部６３Ａが形成されているとともに、当該段差部の上に両面固着テープＴが貼り付けられ、光学デバイスを接着する上面搭載部を構成してなる。図４の例では、２段に積重した構成であるが、前記連結用下ケースと中ケースを複数個用いることで数段に積み重ねた複合ケース体とできる。これにより、大容量の光学デバイスをよりコンパクトに収容でき、製品梱包ユニットとしての取り扱いが飛躍的に向上する。
【００３７】
本発明による第２の実施の形態について、図５，図６とともに説明する。図５は本実施の形態を示す分解斜視図であり、図６は図５を組み立てた状態のＢ−Ｂ断面図である。なお、第１の実施の形態と同じ構成部分については同番号を援用するとともに、一部説明を割愛する。番号の援用並びに一部説明の割愛は以降の実施の形態についても同様に適用する。
【００３８】
梱包ケースは、下ケース１Ｂと、中ケース２Ｂと、梱包される光学ローパスフィルタ（光学デバイス）４を被覆する蓋３Ｂとからなる。
【００３９】
下ケース１Ｂは、例えば、ＰＥＴからなり、略板状に加工されている。外周端部には中ケースと係止する凹部１１Ｂが形成され、上面中央部には後述する両面固着テープを取り付ける位置決め用の目印Ｍが印刷されている。当該目印Ｍの上に両面固着テープＴ２が貼り付けられ、光学デバイスを接着する上面搭載部を構成している。前記両面固着テープＴ２は前記２層の両面固着テープＴの間に樹脂板を介在させている。そして、前記両面固着テープＴ２は、前記下ケースに取り付けることで、光学デバイスを接着する下ケースの上面搭載部を構成するとともに下ケースの板面の補強部と、スペーサをかねている。
【００４０】
中ケース２Ｂは、前記下ケースと同様にＰＥＴからなり、板面部２１Ｂと周壁部２２Ｂとを具備する断面略逆凹形状に加工されている。板面部には前記下ケースの上面搭載部に対応して、光学デバイスを配列するとともに当該光学デバイスを横方向全体に位置規制する収容部としての切欠２１１Ｂが形成されている。周壁部には下ケースを係止する凸部２２１Ｂが形成されている。また、前記周壁の高さと板状面との連結位置の高さを調整することで、光学デバイスの外径仕様に対応させることができる。
【００４１】
蓋３Ｂは、前記下ケース、中ケースと同様にＰＥＴからなり、板面部３１Ｂと周壁部３２Ｂとを具備する断面略逆凹形状に加工されており、前記中ケースを被覆し、かつ嵌め合い固定される構成となっている。なお、板面部の収容内部側にエアークッションＫを配置しスペーサーとしてもよく、これにより、光学ローパスフィルタは前記下ケースの上面搭載部と当該エアークッションに挟持され上下方向の遊動を抑制する構成となる。
【００４２】
そして、前記下ケースの凹部１１Ｂと中ケースの凸部２２１Ｂを係止一体化して組み立てることで、中ケースの各切欠２１１Ｂと下ケースの上面搭載部による収容領域が形成され、光学デバイス４を前記各収容領域に収容し、光学デバイスの一側面と下ケースの上面搭載部の両面固着テープＴ２とを粘着接合する。その後、蓋３Ｂを閉蓋し、中ケース２Ｂと蓋３Ｂとを嵌め合い固定する。
【００４３】
前記下ケース、中ケース、蓋は、シート成形した構成としてもよいし、ポリエチレン等を射出成形した構成としてもよい。
【００４４】
なお、当該ケースを再利用する場合は、下ケース１Ｂと中ケ−ス２Ｂを分解して、両面固着テープＴ２を下ケースの目印Ｍから剥がした後、下ケースを洗浄して利用する。両面固着テープＴ２は下ケースの目印Ｍの上部から再び粘着されるので、取り付けが容易であるのと同様に、取り外しも容易である。さらに、位置ズレすることなく正確に取り付けることができる。
【００４５】
上記第２の実施形態では、両面固着テープの取り付けるための目印として、印刷により端部と中央部に丸印を形成したものを例にしたが、これらの、位置、形状に限定されるものではなく、さらに着色で目印を形成してもよい。また、前記両面固着テープＴ２として、上面にシリコン系の粘着剤が形成されたものを限らず、ゲル状の物質が形成されており、このゲル状物質の界面力により光学デバイスを固持する構成のものであってもよい。
【００４６】
本発明による第３の実施の形態について、図７，図８とともに説明する。図７は本実施の形態を示す分解斜視図であり、図８は図７を組み立てた状態のＣ−Ｃ断面図である。梱包ケースは、下ケース１Ｃと、中ケース２Ｃと、梱包される光学ローパスフィルタ（光学デバイス）４を被覆する蓋３Ｃとからなる。
【００４７】
下ケース１Ｃは、例えば、ＰＥＴからなり、板面部１１Ｃと周壁部１２Ｃとを具備する断面略逆凹形状に加工されている。板面部には後述する中ケースを嵌め合い固定する凹部１１１Ｃが形成され、周壁部は後述する蓋と嵌め合い固定される構成となっている。
【００４８】
中ケース２Ｃは、例えば、その材料が可撓性のスポンジ等からなり、その本体部が前記下ケースの凹部に対応して方形状に加工されている。中央部分には、光学デバイスの側端部を挟持し、収容してなる貫通孔２１Ｃが形成されている。また、光学デバイスを弾性のある状態で挟持していることで、前記収容部に対して若干のサイズの大きめの光学デバイスも収容でき、より汎用性の高いものとなった。さらに、ケース外部の衝撃を緩和して光学デバイス保護する機能を高められる。
【００４９】
蓋３Ｃは、前記下ケースと同様にＰＥＴからなり、板面部３１Ｃと周壁部３２Ｃとを具備する断面略逆凹形状に加工されており、前記中ケースを被覆し、かつ前記下ケースと嵌め合い固定される構成となっている。なお、板面部には中ケースの配置される位置に対応して段差部３１１Ｃが形成されておりスペーサーとして機能している。このため、光学ローパスフィルタは前記下ケースの凹部上面と当該段差部に挟持され上下方向の遊動を抑制する構成となる。
【００５０】
そして、前記下ケースの凹部１１１Ｃに中ケース２Ｃを挿入して嵌め合い一体化して組み立てることで、中ケースの各貫通孔２１Ｃと下ケースの凹部上面による収容領域が形成され、中ケースの貫通孔の内壁部分により光学デバイス４の側端面部を挟持し、前記各収容領域に収容する。その後、蓋３Ｃを閉蓋し、下ケース１Ｃと蓋３Ｃとを嵌め合い固定する。
【００５１】
前記下ケース、蓋は、シート成形した構成としてもよいし、ポリエチレン等を射出成形した構成としてもよい。中ケースは射出成形により構成される。
【００５２】
また、図９に示すように、上記第３の実施形態において、収容部の大きさが異なる中ケース、つまり前記貫通孔２１Ｃの大きさの異なる中ケースを、例えば、２Ｃ−１、２Ｃ−２、２Ｃ−３の３種類に分けて形成し、光学デバイスの外径仕様に応じて、前記中ケースを取り替え、下ケースに一体的に取り付けてもよい。これにより、下ケースと蓋を共通利用部分として残し、光学デバイスを収容する中ケースのみを交換することで、様々な外径仕様の光学デバイスを収容でき、より汎用性を高めることができる。
【００５３】
本発明による第４の実施の形態について、図１０，図１１とともに説明する。図１０は本実施の形態を示す分解斜視図であり、図１１は図１０を組み立てた状態のＤ−Ｄ断面図である。梱包ケースは、下ケース１Ｄと、中ケース２Ｄと、梱包される光学ローパスフィルタ（光学デバイス）４を被覆する蓋３Ｄとからなる。
【００５４】
下ケース１Ｄは、例えば、ＰＥＴからなり、板面部１１Ｄと周壁部１２Ｄとを具備する断面略凹形状に加工されている。板面部には後述する中ケースを嵌め合い固定する凸部１１１Ｄが形成され、周壁部は後述する蓋と嵌め合い固定される構成となっている。
【００５５】
中ケース２Ｄは、例えば、その材料が可撓性のゴム等からなり、前記下ケースの凸部に対応した切欠２１Ｄと環状の本体部２２Ｄを具備する構成となっている。前記本体部には、光学デバイスの側端部を挟持し、収容してなる切欠２２１Ｄが形成されている。また、光学デバイスを弾性のある状態で挟持していることで、前記収容部に対して若干のサイズの大きめの光学デバイスも収容でき、より汎用性の高いものとなった。さらに、ケース外部の衝撃を緩和して光学デバイス保護する機能を高められる。
【００５６】
蓋３Ｄは、前記下ケースと同様にＰＥＴからなり、板面部３１Ｄと周壁部３２Ｄとを具備する断面略逆凹形状に加工されており、前記中ケースを被覆し、かつ前記下ケースと嵌め合い固定される構成となっている。なお、板面部の収容内部側にエアークッションＫを配置しスペーサーとしてもよく、これにより、光学ローパスフィルタは前記下ケースの凹部上面と当該エアークッションに挟持され上下方向の遊動を抑制する構成となる。
【００５７】
そして、前記下ケースの凸部１１１Ｄに中ケースの切欠２１Ｄを挿入して嵌め合い一体化して組み立てることで、中ケースの各切欠２２１Ｄと下ケースの板面部上面による収容領域が形成され、中ケースの貫通孔の内壁部分により光学デバイス４の側端面部を挟持し、前記各収容領域に収容する。その後、蓋３Ｄを閉蓋し、下ケース１Ｄと蓋３Ｄとを嵌め合い固定する。
【００５８】
前記下ケース、蓋は、シート成形した構成としてもよいし、ポリエチレン等を射出成形した構成としてもよい。中ケースは型抜き加工等により構成される。
【００５９】
【発明の効果】
本発明によれば、梱包ケースの構成部品につき、下ケース、上ケース、蓋の３点にすることで、構成部品の数を無駄に増やすことなく、各部品の形状をより簡易化させてコストを低減させる。また、各構成パーツの分解・組立が容易に行えるため、部品の補修、部品の交換ができ、保守メンテナンスと再利用が極めて容易に行える光学デバイス用梱包ケースが提供できる。
【００６０】
また、面取り加工されない光学デバイスのゴミを発生しない梱包ケースとして対応できるとともに、板状の下ケースの上面に両面固着テープを貼り付けるだけで、ケース収容部の底面に粘着剤の形成された領域を作り出すことができ、光学デバイスはその側面が両面固着テープ上に粘着保持される。またケースに対する両面固着テープの貼り付け並びに取り外しは、下ケースと中ケースを分解・一体化するとともに、側面が遮蔽されることのない板状の下ケースの上面から作業効率がよく極めて容易に行うことができる。
【００６１】
さらに、上面に両面固着テープが貼り付けられ、光学デバイスの一側面を接着する上面搭載部を有しており、当該上面搭載部で、前記中ケースの収容部に対応する位置には、前記両面固着テープを貼り付けるための目印が形成されているので、下ケースのうち上面搭載部のみに両面接着シートを取り付ける際の正確な位置決めが行え、作業性が向上する。
【００６２】
特許請求項２により、上述の作用効果に加えて、板面部の曲げ強度が向上し、より耐久性の高いパッケージとできる。
【００６３】
特許請求項３により、上述の作用効果に加えて、部品構成をより簡素化し、コスト低減も可能となる。
【００６４】
特許請求項４により、大容量の光学デバイスをよりコンパクトに収容できる段組構成の複合ケース体が得られ、製品梱包ユニットとしての取り扱いが飛躍的に向上する。
【００６５】
特許請求項５により、中ケースが可撓性材料で構成されているため、下ケースへの中ケースの取り付けを嵌め合いによる係止、中ケース収容部への光学デバイスの収容も圧入による挟持をすることができ、各係止部、収容部の形状も簡素な構成を採用することができる。また、光学デバイスを弾性のある状態で挟持していることで、より安定した光学デバイスの保持が可能となった。前記収容部に対して若干のサイズの大きめの光学デバイスも収容でき、より汎用性の高いものとなった。さらに、ケース外部の衝撃を緩和して光学デバイス保護する機能を高められる。
【００６６】
特許請求項６により、上述の作用効果に加えて、下ケースと蓋を共通利用部分として残し、光学デバイスを収容する中ケースのみを交換することで、様々な外径仕様の光学デバイスを収容できる、より汎用性の高いものとなった。
【００６７】
特許請求項７により、上述の作用効果に加えて、搬送時などに光学デバイスが上下に遊動することがなくなり、当該光学デバイスの破損、ケースの破損、ケースのゴミの発生を防止できる。
【図面の簡単な説明】
【図１】  第１の実施の形態を示す分解斜視図。
【図２】  図１を組み立てた状態のＡ−Ａ断面図。
【図３】  第１の実施形態に適用できる他の中ケースを示す斜視図。
【図４】  第１の実施形態に適用できる複合ケース体を示す断面図。
【図５】  第２の実施の形態を示す分解斜視図
【図６】  図５を組み立てた状態のＢ−Ｂ断面図。
【図７】  第３の実施の形態を示す分解斜視図。
【図８】  図７を組み立てた状態のＣ−Ｃ断面図。
【図９】  第３の実施形態に適用できる他の中ケースを示す斜視図。
【図１０】  第４の実施の形態を示す分解斜視図
【図１１】  図１０を組み立てた状態のＤ−Ｄ断面図。
【図１２】  従来の梱包ケースを示す平面図。
【図１３】  図１２において閉蓋時のＥ−Ｅ断面図。
【符号の説明】
１，１Ａ，１Ｂ，１Ｃ，１Ｄ      下ケース
２，２Ａ，２Ｂ，２Ｃ，２Ｄ      中ケース
３Ａ，３Ｂ，３Ｃ，３Ｄ      蓋
４      光学デバイス
５      上ケース
Ｔ，Ｔ２      両面固着テープ
【図１】
0003947826.tif 000002
【図２】
0003947826.tif 000003
【図３】
0003947826.tif 000004
【図４】
0003947826.tif 000005
【図５】
0003947826.tif 000006
【図６】
0003947826.tif 000007
【図７】
0003947826.tif 000008
【図８】
0003947826.tif 000009
【図９】
0003947826.tif 000010
【図１０】
0003947826.tif 000011
【図１１】
0003947826.tif 000012
【図１２】
0003947826.tif 000013
【図１３】
0003947826.tif 000014